(57)【要約】  ＬＴＥに基づくブロードバンドクラスターシステムの伝送優先順位プリエンプトの実現方法、ＭＭＥ、ネットワークサブシステム、ブロードバンド無線アクセスサブシステム及びＬＴＥに基づくブロードバンドクラスターシステム。該方法は、ブロードバンド無線アクセスサブシステムはネットワークサブシステムにクラスター伝送優先順位更新要求を送信し、ネットワークサブシステムが返したクラスター伝送優先順位更新受け入れメッセージを受信し、且つ伝送優先順位プリエンプト端末にクラスター伝送優先順位更新受け入れメッセージを送信すること、ブロードバンド無線アクセスサブシステム、ネットワークサブシステム及び伝送優先順位端末はインタラクションしてクラスター伝送優先順位コンテキストの変更を完成すること、及び、ブロードバンド無線アクセスサブシステムはネットワークサブシステムが送信した伝送優先順位占用のプロンプトメッセージを受信し、且つｅＭＢＭＳのマルチキャスト制御チャネルにより伝送優先順位端末及び伝送優先順位プリエンプト端末にクラスター伝送優先順位占用のプロンプトメッセージ及び更新設定情報を送信することを含む。【選択図】図４
2015537453.tif 000002
【特許請求の範囲】
【請求項１】
ロングタームエボリューションＬＴＥに基づくブロードバンドクラスターシステムの伝送優先順位プリエンプトの実現方法であって、前記ＬＴＥに基づくブロードバンドクラスターシステムは、同一グループに位置する伝送優先順位端末及び伝送優先順位プリエンプト端末、ブロードバンド無線アクセスサブシステム、ネットワークサブシステム及びクラスタースケジューリング管理センターを備え、前記方法は、
前記ブロードバンド無線アクセスサブシステムが、前記ネットワークサブシステムにクラスター伝送優先順位更新請求を送信し、前記ネットワークサブシステムが返したクラスター伝送優先順位更新受け入れメッセージを受信し、且つ前記伝送優先順位プリエンプト端末に前記クラスター伝送優先順位更新受け入れメッセージを送信することと、
前記ブロードバンド無線アクセスサブシステム、前記ネットワークサブシステム及び前記伝送優先順位端末がインタラクションしてクラスター伝送優先順位コンテキストの修正を完成することと、
前記ブロードバンド無線アクセスサブシステムが、前記ネットワークサブシステムが送信した伝送優先順位占用のプロンプトメッセージを受信し、且つ強化されたマルチメディア放送マルチキャストサービスｅＭＢＭＳのマルチキャスト制御チャネルにより前記伝送優先順位端末及び前記伝送優先順位プリエンプト端末にクラスター伝送優先順位占用のプロンプトメッセージ及び更新設定情報を送信することと
を含むロングタームエボリューションＬＴＥに基づくブロードバンドクラスターシステムの伝送優先順位プリエンプトの実現方法。
【請求項２】
前記ブロードバンド無線アクセスサブシステムは前記ネットワークサブシステムにクラスター伝送優先順位更新請求を送信する前、
前記ブロードバンド無線アクセスサブシステムが前記伝送優先順位プリエンプト端末、前記ネットワークサブシステム及び前記クラスタースケジューリング管理センターとインタラクションすることにより、デフォルト負荷の作成を完成することと、
前記ネットワークサブシステムがクラスター専用負荷の作成を完成するように、前記ブロードバンド無線アクセスサブシステムが、前記伝送優先順位プリエンプト端末が送信したクラスター専用伝送優先順位要求を前記ネットワークサブシステムにトランスペアレントすることとを更に含む請求項１に記載の方法。
【請求項３】
前記ブロードバンド無線アクセスサブシステムが前記伝送優先順位プリエンプト端末、前記ネットワークサブシステム及び前記クラスタースケジューリング管理センターとインタラクションすることにより、デフォルト負荷の作成を完成することは、  
前記ブロードバンド無線アクセスサブシステムが前記伝送優先順位プリエンプト端末が送信したクラスター伝送優先順位申込要求を受信し、前記ネットワークサブシステムにより前記クラスタースケジューリング管理センターに前記クラスター伝送優先順位申込要求を送信することと、
前記ネットワークサブシステムが、前記クラスタースケジューリング管理センターが送信したクラスターコンテキスト作成要求を受信し、前記ブロードバンド無線アクセスサブシステム及び前記プリエンプト端末とインタラクションしてデフォルト負荷の作成を完成することとを含み、そのうち、前記クラスターコンテキスト作成要求は、前記クラスタースケジューリング管理センターが前記クラスター伝送優先順位申込要求を受信した後、前記プリエンプト端末を認証、認可及び策略判定した後送信したものである請求項２に記載の方法。
【請求項４】
前記ブロードバンド無線アクセスサブシステムが、前記ネットワークサブシステムにクラスター伝送優先順位更新請求を送信し、前記ネットワークサブシステムが返したクラスター伝送優先順位更新受け入れメッセージを受信することは、  
前記ブロードバンド無線アクセスサブシステムが、前記ネットワークサブシステムにクラスター伝送優先順位更新請求を送信し、前記ネットワークサブシステムが、前記クラスター伝送優先順位更新請求に基づいて前記クラスタースケジューリング管理センターとクラスター伝送優先順位の情報更新を行った後、前記クラスタースケジューリング管理センターが返した前記クラスター伝送優先順位更新受け入れメッセージを受信し、前記ブロードバンド無線アクセスサブシステムが、前記ネットワークサブシステムが返した前記クラスター伝送優先順位更新受け入れメッセージを受信することを含む請求項１〜３のいずれか一つに記載の方法。
【請求項５】
前記ブロードバンド無線アクセスサブシステム、前記ネットワークサブシステム及び前記伝送優先順位端末がインタラクションしてクラスター伝送優先順位コンテキストの修正を完成することは、
前記ブロードバンド無線アクセスサブシステムが、前記ネットワークサブシステムが送信したクラスター伝送優先順位コンテキストの修正要求を受信することと、
前記ブロードバンド無線アクセスサブシステム、前記ネットワークサブシステム及び前記伝送優先順位端末がインタラクションして前記伝送優先順位端末の負荷及びエアインタフェースリソースのリリースを完成することと、
前記ブロードバンド無線アクセスサブシステムが、前記ネットワークサブシステムにクラスター伝送優先順位コンテキスト修正完成メッセージを送信することとを含む請求項１〜３のいずれかに記載の方法。
【請求項６】
ロングタームエボリューションＬＴＥに基づくブロードバンドクラスターシステムの伝送優先順位プリエンプト実現方法であって、そのうち、前記ＬＴＥに基づくブロードバンドクラスターシステムは、同一グループに位置する伝送優先順位端末及び伝送優先順位プリエンプト端末、ブロードバンド無線アクセスサブシステム、ネットワークサブシステム及びクラスタースケジューリング管理センターを備え、前記方法は、
前記ネットワークサブシステム及び前記クラスタースケジューリング管理センターがクラスター伝送優先順位の情報更新を行い、且つ前記ブロードバンド無線アクセスサブシステムにより前記伝送優先順位プリエンプト端末にクラスター伝送優先順位更新受け入れメッセージを送信することと、
前記ネットワークサブシステム、前記ブロードバンド無線アクセスサブシステム及び前記伝送優先順位端末がインタラクションしてクラスター伝送優先順位コンテキストの修正を完成することと、
前記ブロードバンド無線アクセスサブシステムが強化されたマルチメディア放送マルチキャストサービスｅＭＢＭＳのマルチキャスト制御チャネルにより、前記伝送優先順位プリエンプト端末及び前記伝送優先順位端末にクラスター伝送優先順位占用のプロンプトメッセージ及び更新設定情報を送信するように、前記ネットワークサブシステムが前記ブロードバンド無線アクセスサブシステムに伝送優先順位占用のプロンプトメッセージを送信することとを含むロングタームエボリューションＬＴＥに基づくブロードバンドクラスターシステムの伝送優先順位プリエンプト実現方法。
【請求項７】
前記ネットワークサブシステム及び前記クラスタースケジューリング管理センターはクラスター伝送優先順位の情報更新を行う前、
前記ネットワークサブシステムが前記伝送優先順位プリエンプト端末、前記ブロードバンド無線アクセスサブシステム及び前記クラスタースケジューリング管理センターとインタラクションすることにより、前記ブロードバンド無線アクセスサブシステムと前記伝送優先順位プリエンプト端末との間のデフォルト負荷の作成を完成することと、
前記ネットワークサブシステムが、前記伝送優先順位プリエンプト端末が前記ブロードバンド無線アクセスサブシステムによりトランスペアレントしたクラスター専用伝送優先順位要求を受信し、且つ前記ブロードバンド無線アクセスサブシステム及び前記伝送優先順位プリエンプト端末とインタラクションしてクラスター専用負荷の作成を完成することとを更に含む請求項６に記載の方法。
【請求項８】
前記ネットワークサブシステムが前記伝送優先順位プリエンプト端末、前記ブロードバンド無線アクセスサブシステム及び前記クラスタースケジューリング管理センターとインタラクションすることにより、前記ブロードバンド無線アクセスサブシステムと前記伝送優先順位プリエンプト端末との間のデフォルト負荷の作成を完成することは、
前記ネットワークサブシステムが、前記伝送優先順位プリエンプト端末が前記ブロードバンド無線アクセスサブシステムにより送信したクラスター伝送優先順位申込要求を受信し、且つ前記クラスタースケジューリング管理センターに前記クラスター伝送優先順位申込要求を送信すること、
前記ネットワークサブシステムが、前記クラスタースケジューリング管理センターが送信したクラスターコンテキスト作成要求を受信し、且つ前記ブロードバンド無線アクセスサブシステム及び前記伝送優先順位プリエンプト端末とインタラクションしてデフォルト負荷の作成を完成することとを含み、そのうち、前記クラスターコンテキスト作成要求は、前記クラスタースケジューリング管理センターが前記クラスター伝送優先順位申込要求を受信した後、前記伝送優先順位プリエンプト端末を認証、認可及び策略判定した後送信したものである請求項７に記載の方法。
【請求項９】
前記ネットワークサブシステムが前記ブロードバンド無線アクセスサブシステムにより前記伝送優先順位プリエンプト端末に前記クラスター伝送優先順位更新受け入れメッセージを送信することは、
前記ネットワークサブシステムが、前記クラスタースケジューリング管理センターが送信したクラスター伝送優先順位更新受け入れメッセージを受信し、前記ブロードバンド無線アクセスサブシステムにより前記伝送優先順位プリエンプト端末に前記クラスター伝送優先順位更新受け入れメッセージを送信することを含む請求項６に記載の方法。
【請求項１０】
前記ネットワークサブシステム、前記ブロードバンド無線アクセスサブシステム及び前記伝送優先順位端末がインタラクションしてクラスター伝送優先順位コンテキストの修正を完成することは、  
前記ネットワークサブシステムが前記ブロードバンド無線アクセスサブシステムにクラスター伝送優先順位コンテキストの修正要求を送信することと、
前記ネットワークサブシステム、前記ブロードバンド無線アクセスサブシステム及び前記伝送優先順位端末がインタラクションして前記伝送優先順位端末の負荷及びエアインタフェースリソースのリリースを完成することと、
前記ネットワークサブシステムが、前記ブロードバンド無線アクセスサブシステムが送信したクラスター伝送優先順位コンテキスト修正完成メッセージを受信することとを含む請求項６〜９のいずれか一つに記載の方法。
【請求項１１】
ロングタームエボリューションＬＴＥに基づくブロードバンドクラスターシステム中に応用される移動管理エンティティＭＭＥであって、  
伝送優先順位プリエンプト端末、前記伝送優先順位プリエンプト端末の所属の第１基地局及びクラスタースケジューリング管理センターとインタラクションすることにより、前記第１基地局と前記伝送優先順位プリエンプト端末との間のデフォルト負荷の作成を完成するように設定される第１作成モジュールと、
前記第１基地局、前記ＭＭＥとともに同一ネットワークサブシステムに位置するサービスゲートウェイＳＧＷ及びパケットデータネットワークゲートウェイＰ−ＧＷとインタラクションすることにより、クラスター専用伝送優先順位プリエンプト負荷の作成を完成するように設定される第２作成モジュールと、
マルチメディア放送マルチキャストサービスゲートウェイＭＢＭＳ−ＧＷ、前記ＳＧＷ及び前記クラスタースケジューリング管理センターとインタラクションすることにより、クラスター伝送優先順位更新を完成し、且つ前記第１基地局により前記伝送優先順位プリエンプト端末にクラスター伝送優先順位要求受け入れメッセージを送信するように設定される更新モジュールと、
伝送優先順位端末及び前記伝送優先順位端末の所属の第２基地局とインタラクションすることにより、クラスター伝送優先順位コンテキスト修正を完成するように設定される修正モジュールと、
前記第１基地局及び前記第２基地局がマルチキャスト放送単一周波数ネットワークＭＢＳＦＮ領域の制御チャネルによりクラスター領域内のすべての端末に伝送優先順位占用及び更新設定情報を通知するように、前記第１基地局及び前記第２基地局にクラスター伝送優先順位占用プロンプトを送信するように設定される占用モジュールと
を備える移動管理エンティティＭＭＥ。
【請求項１２】
前記第１作成モジュールは、
前記伝送優先順位プリエンプト端末が前記第１基地局により送信したクラスター伝送優先順位申込要求を受信し、且つ前記クラスタースケジューリング管理センターに前記クラスター伝送優先順位申込要求を送信し、そのうち、前記クラスター伝送優先順位申込要求にはクラスターセッション識別子を含み、及び
前記クラスタースケジューリング管理センターが送信したクラスターコンテキスト作成要求を受信し、且つ前記第１基地局及び前記伝送優先順位プリエンプト端末とインタラクションしてデフォルト負荷の作成を完成し、そのうち、前記クラスターコンテキスト作成要求は前記クラスタースケジューリング管理センターが前記クラスター伝送優先順位申込要求を受信した後、前記伝送優先順位プリエンプト端末を認証、認可及び策略判定した後送信したものである、という方式で、伝送優先順位プリエンプト端末、前記伝送優先順位プリエンプト端末の所属の第１基地局及びクラスタースケジューリング管理センターとインタラクションすることにより、前記第１基地局と前記伝送優先順位プリエンプト端末との間のデフォルト負荷の作成を完成するように設定される請求項１１に記載のＭＭＥ。
【請求項１３】
前記第２作成モジュールは、
前記伝送優先順位プリエンプト端末が前記第１基地局によりトランスペアレントしたクラスター専用伝送優先順位プリエンプト要求メッセージを受信し、
前記ＳＧＷ及び前記Ｐ−ＧＷとインタラクションして伝送優先順位ユーザの負荷作成を行い、
前記第１基地局にクラスター専用伝送優先順位プリエンプト負荷作成要求を送信し、及び
前記第１基地局が前記クラスター専用伝送優先順位プリエンプト負荷作成要求に基づいて設定を完成した後送信したクラスター専用伝送優先順位プリエンプト負荷作成完成メッセージを受信する、
という方式で、前記第１基地局、前記ＭＭＥとともに同一ネットワークサブシステムに位置するＳＧＷ及びＰ−ＧＷとインタラクションすることにより、クラスター専用伝送優先順位プリエンプト負荷の作成を完成するように設定される請求項１１に記載のＭＭＥ。
【請求項１４】
前記更新モジュールは、
前記ＳＧＷにクラスター伝送優先順位更新請求を送信し、及び前記ＳＧＷが返したクラスター伝送優先順位更新レスポンスメッセージを受信し
前記ＭＢＭＳ−ＧＷにより前記クラスタースケジューリング管理センターにクラスター伝送優先順位更新請求を送信し、前記クラスタースケジューリング管理センターが返したクラスター伝送優先順位更新受け入れ要求を受信し、及び
前記第１基地局により前記伝送優先順位プリエンプト端末に前記クラスター伝送優先順位要求受け入れメッセージを送信する
という方式で、ＭＢＭＳ−ＧＷ、前記ＳＧＷ及び前記クラスタースケジューリング管理センターとインタラクションすることにより、クラスター伝送優先順位更新を完成し、且つ前記第１基地局により前記伝送優先順位プリエンプト端末にクラスター伝送優先順位要求受け入れメッセージを送信するように設定される請求項１１に記載のＭＭＥ。
【請求項１５】
前記修正モジュールは、
前記第２基地局にクラスター伝送優先順位コンテキストの修正要求を送信し、
前記第２基地局とともに前記伝送優先順位端末の負荷コンテキストをリリースし、及び
前記第２基地局が前記伝送優先順位端末の接続をリリースし終わった後返したクラスター伝送優先順位コンテキスト修正レスポンスメッセージを受信する
という方式で、伝送優先順位端末及び前記伝送優先順位端末の所属の第２基地局とインタラクションすることにより、クラスター伝送優先順位コンテキスト修正を完成するように設定される請求項１１に記載のＭＭＥ。
【請求項１６】
移動管理エンティティＭＭＥ、該ＭＭＥに接続するサービスゲートウェイＳＧＷ、放送マルチキャストサービスセンターＢＭ−ＳＣ及びホームユーザサーバＨＳＳ、前記ＢＭ−ＳＣに接続するマルチメディア放送マルチキャストサービスゲートウェイＭＢＭＳ−ＧＷ、及び前記ＢＭ−ＳＣ及び前記ＳＧＷにいずれも接続するパケットデータネットワークゲートウェイＰ−ＧＷを備え、そのうち、
前記ＭＭＥは、請求項１１〜１５のいずれか一つに記載のＭＭＥであり、
前記ＭＢＭＳ−ＧＷは、マルチキャストアドレス保存、データディストリビューション及びクラスターサービスセッション制御コマンドの処理を担当するように設定され、
前記Ｐ−ＧＷは、クラスタースケジューリング管理センターが送信したクラスターサービス負荷作成要求を受信し、及び、前記ＭＭＥが処理したユーザ装置ＵＥが送信したクラスターサービス要求情報を前記クラスタースケジューリング管理センターに転送するように設定され、及び
前記ＨＳＳは、端末が属する基地局情報及び端末が属するグループの標識を保存するように設定されるネットワークサブシステム。
【請求項１７】
マルチセル又はマルチキャスト協働エンティティＭＣＥ及び複数基地局を備え、そのうち、
前記基地局は、クラスターサービスセッションに無線負荷を作成し、且つ設定した無線負荷情報を前記基地局がサービスする端末に通知するように設定され、及び
前記ＭＣＥは、マルチキャスト放送単一周波数ネットワークＭＢＳＦＮ領域下で、前記基地局に対してＭＢＳＦＮ送信のクラスターサービスセッションの無線リソースの割当を担当するように設定されるブロードバンド無線アクセスサブシステム。
【請求項１８】
前記ＭＣＥは、移動管理エンティティＭＭＥからのクラスターサービスセッションスタート要求を受信し、サービス品質に基づいて無線リソースのスケジューリング制御情報を生成し、且つ前記基地局に前記スケジューリング制御情報を送信するようにさらに設定される請求項１７に記載のブロードバンド無線アクセスサブシステム。
【請求項１９】
前記基地局は、
前記ＭＭＥが送信したクラスター伝送優先順位コンテキストの修正要求を受信し、前記ＭＭＥとともに伝送優先順位端末の負荷コンテキストをリリースし、前記基地局がサービスする伝送優先順位端末に対して無線リソース制御ＲＲＣ接続リリースを行い、及び前記ＭＭＥにクラスター伝送優先順位コンテキストの修正要求レスポンスを返す、又は
前記ＭＭＥが送信したクラスター専用伝送優先順位プリエンプト負荷作成要求を受信し、前記基地局がサービスする伝送優先順位プリエンプト端末とＲＲＣ接続再設定の作成を行い、及び前記ＭＭＥにクラスター専用伝送優先順位プリエンプト負荷作成完成メッセージを返すようにさらに設定される請求項１７に記載のブロードバンド無線アクセスサブシステム。
【請求項２０】
順に接続される端末、ブロードバンド無線アクセスサブシステム、ネットワークサブシステム及びクラスタースケジューリング管理センター、及び前記ブロードバンド無線アクセスサブシステム及び前記ネットワークサブシステムにいずれも接続する操作メインテナンスサブシステムを備え、そのうち、
前記ブロードバンド無線アクセスサブシステムは、請求項１７〜１９のいずれか一つに記載のブロードバンド無線アクセスサブシステムであり、
前記ネットワークサブシステムは、請求項１６に記載のネットワークサブシステムであり、
前記クラスタースケジューリング管理センターは、クラスターサービス伝送優先順位管理及びスケジューリング、クラスターシングルコール又はグループコールの許可管理、クラスターサービスのサービスタイプの割り当て及びクラスターサービスのサービス品質設定を完成することを担当するように設定され、及び
前記操作メインテナンスサブシステムは、クラスターユーザの口座開設、口座キャンセル及びユーザサービス権限の各種の操作を完成し、及び前記ブロードバンド無線アクセスサブシステム及び前記ネットワークサブシステムの設備に対してパラメータの設定及び性能と安全の管理を行うことを担当するように設定されるロングタームエボリューションＬＴＥに基づくブロードバンドクラスターシステム。
【請求項２１】
前記ネットワークサブシステムと前記クラスタースケジューリング管理センターとの間に位置するインタネットプロトコルマルチメディアサブシステムＩＭＳを更に備え、そのうち、
前記ＩＭＳはクラスター機能にプロトコル及びフローバックアップを提供するように設定される請求項２０に記載のブロードバンドクラスターシステム。
【発明の詳細な説明】
【技術分野】
【０００１】
本発明はブロードバンドデジタルクラスターシステム分野に関し、特にロングタームエボリューション（Long Term  Evolution、ＬＴＥ）に基づくブロードバンドクラスターシステムの伝送優先順位プリエンプト（speaking right seizing）実現方法、移動管理エンティティ（Mobile Management Entity、ＭＭＥ）、ネットワークサブシステム、ブロードバンド無線アクセスサブシステム及びＬＴＥに基づくブロードバンドクラスターシステムに関する。
【背景技術】
【０００２】
通信技術の発展及び人々のクラスターシステムについての絶え間ない理解の深化に伴って、クラスターシステムが効率的な緊急指揮スケジューリングシステムとして発揮する作用はますます大きくなる。クラスター通信システムは、政府機関、公衆安全、緊急通信、電力、民間航空、石油化学工業及び軍隊等の分野に幅広く応用されている。クラスターシステムの発展は、シミュレートクラスターシステム及びナローバンドデジタルクラスターシステム段階を経て、そのうち２つの段階のクラスターシステムはいずれも多くの短所が存在し、シミュレートクラスターシステムは、干渉が大きく、ブラインドゾーンが多く、周波数に限りがある等の欠点が存在し、ナローバンドデジタルクラスターシステムは、通信品質及び通信容量上で、シミュレートクラスターシステムに対してある程度向上したが、データ伝送能力及びマルチメディアサービスのバックアップ能力の面で、比較的弱く、且つナローバンドデジタルクラスターシステムのＬＴＥに基づくブロードバンドデジタルクラスターシステムへの進化は一定の困難を有する。
【０００３】
従来、ＬＴＥに基づくブロードバンドデジタルクラスターシステムは次世代クラスターシステムの発展の方向になり、ＬＴＥに基づくブロードバンドデジタルクラスターシステムに対して、国内では関連の標準の検討中であり、且つオペレータ及び企業はできるだけ従来のＬＴＥネットワーク及び技術の基礎で相応する修正又は拡張を行ってＬＴＥに基づくブロードバンドデジタルクラスターシステムの展開を完成することを希望し、このように従来のＬＴＥネットワーク及び技術を確実に利用することがきるとともに、オペレータ及び企業が投入コストを最小限に抑え、従って、どのように従来のＬＴＥネットワーク及び技術を利用してＬＴＥブロードバンドデジタルクラスターシステムに基づくアーキテクチャを展開し、且つクラスターサービスの伝送優先順位プリエンプトを実現するかは解決すべき問題になった。
【発明の概要】
【発明が解決しようとする課題】
【０００４】
本発明の実施例はＬＴＥに基づくブロードバンドクラスターシステムの伝送優先順位プリエンプト実現方法、ＭＭＥ、ネットワークサブシステム、ブロードバンド無線アクセスサブシステム及びＬＴＥに基づくブロードバンドクラスターシステムを提供しており、どのように従来のＬＴＥネットワーク及び技術を利用してＬＴＥブロードバンドデジタルクラスターシステムに基づくアーキテクチャの展開を実現し及びクラスターサービスの伝送優先順位プリエンプトを実現する問題を解決する。
【課題を解決するための手段】
【０００５】
本発明の実施例はロングタームエボリューションＬＴＥに基づくブロードバンドクラスターシステムの伝送優先順位プリエンプト実現方法を提供しており、そのうち、該ＬＴＥに基づくブロードバンドクラスターシステムは、共通グループに位置する伝送優先順位端末及び伝送優先順位プリエンプト端末、ブロードバンド無線アクセスサブシステム、ネットワークサブシステム及びクラスタースケジューリング管理センターを備え、該方法は、
前記ブロードバンド無線アクセスサブシステムが、前記ネットワークサブシステムにクラスター伝送優先順位更新請求を送信し、前記ネットワークサブシステムが返したクラスター伝送優先順位更新受け入れメッセージを受信し、且つ伝送優先順位プリエンプト端末に前記クラスター伝送優先順位更新受け入れメッセージを送信すること、
前記ブロードバンド無線アクセスサブシステム、前記ネットワークサブシステム及び前記伝送優先順位端末がインタラクションしてクラスター伝送優先順位コンテキストの修正を完成すること、及び
前記ブロードバンド無線アクセスサブシステムが、前記ネットワークサブシステムが送信した伝送優先順位占用のプロンプトメッセージを受信し、且つ強化されたマルチメディア放送マルチキャストサービス（enhanced Multimedia Broadcast Multicast Service、ｅＭＢＭＳ）のマルチキャスト制御チャネルにより前記伝送優先順位端末及び前記伝送優先順位プリエンプト端末にクラスター伝送優先順位占用のプロンプトメッセージ及び更新設定情報を送信することを含む。
【０００６】
該方法では、前記ブロードバンド無線アクセスサブシステムは前記ネットワークサブシステムにクラスター伝送優先順位更新請求を送信する前、
前記ブロードバンド無線アクセスサブシステムが前記伝送優先順位プリエンプト端末、前記ネットワークサブシステム及び前記クラスタースケジューリング管理センターとインタラクションすることにより、デフォルト負荷の作成を完成すること、及び
前記ネットワークサブシステムがクラスター専用負荷の作成を完成するように、前記ブロードバンド無線アクセスサブシステムが、前記伝送優先順位プリエンプト端末が送信したクラスター専用伝送優先順位要求を前記ネットワークサブシステムにトランスペアレントすることを更に含んでもよい。
【０００７】
前記ブロードバンド無線アクセスサブシステムが前記伝送優先順位プリエンプト端末、前記ネットワークサブシステム及び前記クラスタースケジューリング管理センターとインタラクションすることにより、デフォルト負荷の作成を完成することは、  
前記ブロードバンド無線アクセスサブシステムが前記伝送優先順位プリエンプト端末が送信したクラスター伝送優先順位申込要求を受信し、前記ネットワークサブシステムにより前記クラスタースケジューリング管理センターに該クラスター伝送優先順位申込要求を送信すること、及び
前記ネットワークサブシステムが、前記クラスタースケジューリング管理センターが送信したクラスターコンテキスト作成要求を受信し、前記ブロードバンド無線アクセスサブシステム及び前記プリエンプト端末とインタラクションしてデフォルト負荷の作成を完成することを含んでもよく、そのうち、該クラスターコンテキスト作成要求は、前記クラスタースケジューリング管理センターが該クラスター伝送優先順位申込要求を受信した後、前記プリエンプト端末を認証、認可及び策略判定した後送信したものである。
【０００８】
前記ブロードバンド無線アクセスサブシステムが、前記ネットワークサブシステムにクラスター伝送優先順位更新請求を送信し、前記ネットワークサブシステムが返したクラスター伝送優先順位更新受け入れメッセージを受信することは、  
前記ブロードバンド無線アクセスサブシステムが、前記ネットワークサブシステムにクラスター伝送優先順位更新請求を送信し、前記ネットワークサブシステムが、前記クラスター伝送優先順位更新請求に基づいて前記クラスタースケジューリング管理センターとクラスター伝送優先順位の情報更新を行った後、前記クラスタースケジューリング管理センターが返した前記クラスター伝送優先順位更新受け入れメッセージを受信し、前記ブロードバンド無線アクセスサブシステムが、前記ネットワークサブシステムが返した前記クラスター伝送優先順位更新受け入れメッセージを受信することを含んでもよい。
【０００９】
前記ブロードバンド無線アクセスサブシステム、前記ネットワークサブシステム及び前記伝送優先順位端末がインタラクションしてクラスター伝送優先順位コンテキストの修正を完成することは、
前記ブロードバンド無線アクセスサブシステムが、前記ネットワークサブシステムが送信したクラスター伝送優先順位コンテキストの修正要求を受信すること、
前記ブロードバンド無線アクセスサブシステム、前記ネットワークサブシステム及び前記伝送優先順位端末がインタラクションして前記伝送優先順位端末の負荷及びエアインタフェースリソースのリリースを完成すること、及び
前記ブロードバンド無線アクセスサブシステムが、前記ネットワークサブシステムにクラスター伝送優先順位コンテキスト修正完成メッセージを送信することを含んでもよい。
【００１０】
本発明の実施例はロングタームエボリューションＬＴＥに基づくブロードバンドクラスターシステムの伝送優先順位プリエンプト実現方法を更に提供しており、そのうち、該ＬＴＥに基づくブロードバンドクラスターシステムは、共通グループに位置する伝送優先順位端末及び伝送優先順位プリエンプト端末、ブロードバンド無線アクセスサブシステム、ネットワークサブシステム及びクラスタースケジューリング管理センターを備え、該方法は、
前記ネットワークサブシステム及び前記クラスタースケジューリング管理センターがクラスター伝送優先順位の情報更新を行い、且つ前記ブロードバンド無線アクセスサブシステムにより前記伝送優先順位プリエンプト端末に前記クラスター伝送優先順位更新受け入れメッセージを送信すること、
前記ネットワークサブシステム、前記ブロードバンド無線アクセスサブシステム及び前記伝送優先順位端末がインタラクションしてクラスター伝送優先順位コンテキストの修正を完成すること、及び
前記ブロードバンド無線アクセスサブシステムが強化されたマルチメディアマルチキャストサービスｅＭＢＭＳのマルチキャスト制御チャネルにより、前記伝送優先順位プリエンプト端末及び前記伝送優先順位端末にクラスター伝送優先順位占用のプロンプトメッセージ及び更新設定情報を送信するように、前記ネットワークサブシステムがブロードバンド無線アクセスサブシステムに伝送優先順位占用のプロンプトメッセージを送信することを含む。
【００１１】
前記方法は、前記ネットワークサブシステム及び前記クラスタースケジューリング管理センターはクラスター伝送優先順位の情報更新を行う前、前記ネットワークサブシステムが伝送優先順位プリエンプト端末、前記ブロードバンド無線アクセスサブシステム及び前記クラスタースケジューリング管理センターとインタラクションすることにより、前記ブロードバンド無線アクセスサブシステムと前記伝送優先順位プリエンプト端末との間のデフォルト負荷の作成を完成すること、及び
前記ネットワークサブシステムが、前記伝送優先順位プリエンプト端末が前記ブロードバンド無線アクセスサブシステムによりトランスペアレントしたクラスター専用伝送優先順位要求を受信し、且つ前記ブロードバンド無線アクセスサブシステム及び前記伝送優先順位プリエンプト端末とインタラクションしてクラスター専用負荷の作成を完成することを更に含んでもよい。
【００１２】
前記ネットワークサブシステムが伝送優先順位プリエンプト端末、前記ブロードバンド無線アクセスサブシステム及び前記クラスタースケジューリング管理センターとインタラクションすることにより、前記ブロードバンド無線アクセスサブシステムと前記伝送優先順位プリエンプト端末との間のデフォルト負荷の作成を完成することは、
前記ネットワークサブシステムが、前記伝送優先順位プリエンプト端末が前記ブロードバンド無線アクセスサブシステムにより送信したクラスター伝送優先順位申込要求を受信し、且つ前記クラスタースケジューリング管理センターに該クラスター伝送優先順位申込要求を送信すること、及び
前記ネットワークサブシステムが、前記クラスタースケジューリング管理センターが送信したクラスターコンテキスト作成要求を受信し、且つ前記ブロードバンド無線アクセスサブシステム及び前記伝送優先順位プリエンプト端末とインタラクションしてデフォルト負荷の作成を完成することを含んでもよく、そのうち、該クラスターコンテキスト作成要求は、前記クラスタースケジューリング管理センターが該クラスター伝送優先順位申込要求を受信した後、前記伝送優先順位プリエンプト端末を認証、認可及び策略判定した後送信したものである。
【００１３】
前記ネットワークサブシステムが前記ブロードバンド無線アクセスサブシステムにより前記伝送優先順位プリエンプト端末に前記クラスター伝送優先順位更新受け入れメッセージを送信することは、
前記ネットワークサブシステムが、前記クラスタースケジューリング管理センターが送信したクラスター伝送優先順位更新受け入れメッセージを受信し、前記ブロードバンド無線アクセスサブシステムにより前記伝送優先順位プリエンプト端末に前記クラスター伝送優先順位更新受け入れメッセージを送信することを含んでもよい。
【００１４】
前記ネットワークサブシステム、前記ブロードバンド無線アクセスサブシステム及び前記伝送優先順位端末がインタラクションしてクラスター伝送優先順位コンテキストの修正を完成することは、
前記ネットワークサブシステムが前記ブロードバンド無線アクセスサブシステムにクラスター伝送優先順位コンテキストの修正要求を送信すること、
前記ネットワークサブシステム、前記ブロードバンド無線アクセスサブシステム及び前記伝送優先順位端末がインタラクションして前記伝送優先順位端末の負荷及びエアインタフェースリソースのリリースを完成すること、及び
前記ネットワークサブシステムが、前記ブロードバンド無線アクセスサブシステムが送信したクラスター伝送優先順位コンテキスト修正完成メッセージを受信することを含んでもよい。
【００１５】
本発明の実施例はロングタームエボリューションＬＴＥに基づくブロードバンドクラスターシステム中に応用される移動管理エンティティＭＭＥを更に提供しており、該ＭＭＥは、
伝送優先順位プリエンプト端末、該伝送優先順位プリエンプト端末の所属の第１基地局及びクラスタースケジューリング管理センターとインタラクションすることにより、前記第１基地局と前記伝送優先順位プリエンプト端末との間のデフォルト負荷の作成を完成するように設置される第１作成モジュール、
前記第１基地局、該ＭＭＥとともに共通ネットワークサブシステムに位置するサービスゲートウェイ（Service Gateway、ＳＧＷ）及びパケットデータネットワークゲートウェイ（Packet Data Network Gateway、ＰＤＮ−ＧＷ又はＰ−ＧＷ）とインタラクションすることにより、クラスター専用伝送優先順位プリエンプト負荷の作成を完成するように設置される第２作成モジュール、
マルチメディア放送マルチキャストサービスゲートウェイ（Multimedia Broadcast Multicast Service-Gateway、ＭＢＭＳ−ＧＷ）、前記ＳＧＷ及び前記クラスタースケジューリング管理センターとインタラクションすることにより、クラスター伝送優先順位更新を完成し、且つ前記第１基地局により前記伝送優先順位プリエンプト端末にクラスター伝送優先順位要求受け入れメッセージを送信するように設置される更新モジュール、
伝送優先順位端末及び該伝送優先順位端末の所属の第２基地局とインタラクションすることにより、クラスター伝送優先順位コンテキストの修正を完成するように設置される修正モジュール、及び
前記第１基地局及び前記第２基地局はマルチキャスト放送単一周波数ネットワーク（Multicast Broadcast Single Frequency Network、ＭＢＳＦＮ）領域の制御チャネルによりクラスター領域内のすべての端末に伝送優先順位占用及び更新設定情報を通知するように、前記第１基地局及び前記第２基地局にクラスター伝送優先順位占用プロンプトを送信するように設置される占用モジュールを備える。
【００１６】
前記第１作成モジュールは、
伝送優先順位プリエンプト端末が前記第１基地局により送信したクラスター伝送優先順位申込要求を受信し、且つ前記クラスタースケジューリング管理センターに該クラスター伝送優先順位申込要求を送信し、そのうち、前記クラスター伝送優先順位申込要求中にはクラスターセッション識別子を含み、及び
前記クラスタースケジューリング管理センターが送信したクラスターコンテキスト作成要求を受信し、且つ前記第１基地局及び前記伝送優先順位プリエンプト端末とインタラクションしてデフォルト負荷の作成を完成し、そのうち、該クラスターコンテキスト作成要求は前記クラスタースケジューリング管理センターが該クラスター伝送優先順位申込要求を受信した後、前記伝送優先順位プリエンプト端末を認証、認可及び策略判定した後送信したものである、という方式で、伝送優先順位プリエンプト端末、前記伝送優先順位プリエンプト端末の所属第１基地局及びクラスタースケジューリング管理センターとインタラクションすることにより、前記第１基地局と前記伝送優先順位プリエンプト端末との間のデフォルト負荷の作成を完成するように設置されてもよい。
【００１７】
前記第２作成モジュールは、
前記伝送優先順位プリエンプト端末が前記第１基地局によりトランスペアレントしたクラスター専用伝送優先順位プリエンプト要求メッセージを受信し、
前記ＳＧＷ及び前記Ｐ−ＧＷとインタラクションして伝送優先順位ユーザの負荷作成を行い、
前記第１基地局にクラスター専用伝送優先順位プリエンプト負荷作成要求を送信し、及び
前記第１基地局が前記クラスター専用伝送優先順位プリエンプト負荷作成要求に基づいて設定を完成した後送信したクラスター専用伝送優先順位プリエンプト負荷作成完成メッセージを受信するという方式で、前記第１基地局、前記ＭＭＥとともに共通ネットワークサブシステムに位置するＳＧＷ及びＰ−ＧＷとインタラクションすることにより、クラスター専用伝送優先順位プリエンプト負荷の作成を完成するように設置されてもよい。
【００１８】
前記更新モジュールは、
前記ＳＧＷにクラスター伝送優先順位更新請求を送信し、及び前記ＳＧＷが返したクラスター伝送優先順位更新レスポンスメッセージを受信し、
前記ＭＢＭＳ−ＧＷにより前記クラスタースケジューリング管理センターにクラスター伝送優先順位更新請求を送信し、前記クラスタースケジューリング管理センターが返したクラスター伝送優先順位更新受け入れ要求を受信し、及び
前記第１基地局により前記伝送優先順位プリエンプト端末にクラスター伝送優先順位要求受け入れメッセージを送信するという方式で、ＭＢＭＳ−ＧＷ、前記ＳＧＷ及び前記クラスタースケジューリング管理センターとインタラクションすることにより、クラスター伝送優先順位更新を完成し、且つ前記第１基地局により前記伝送優先順位プリエンプト端末にクラスター伝送優先順位要求受け入れメッセージを送信するように設置されてもよい。
【００１９】
前記修正モジュールは、
前記第２基地局にクラスター伝送優先順位コンテキストの修正要求を送信し、
前記第２基地局とともに該伝送優先順位端末の負荷コンテキストをリリースし、及び
前記第２基地局が該伝送優先順位端末の接続をリリースし終わった後返したクラスター伝送優先順位コンテキスト修正レスポンスメッセージを受信するという方式で、伝送優先順位端末及び前記伝送優先順位端末の所属の第２基地局とインタラクションすることにより、クラスター伝送優先順位コンテキストの修正を完成するように設置されてもよい。
【００２０】
本発明の実施例はネットワークサブシステムを更に提供しており、移動管理エンティティＭＭＥ、該ＭＭＥに接続するサービスゲートウェイＳＧＷ、放送マルチキャストサービスセンター（Broadcast Multicast Service Center、ＢＭ−ＳＣ）及びホームユーザサーバ（Home Subscriber Server、ＨＳＳ）、前記ＢＭ−ＳＣに接続するマルチメディア放送マルチキャストサービスゲートウェイＭＢＭＳ−ＧＷ、及び前記ＢＭ−ＳＣ及び前記ＳＧＷにいずれも接続するパケットデータネットワークゲートウェイＰ−ＧＷを備え、そのうち、
該ＭＭＥは、上記ＭＭＥであり、
前記ＭＢＭＳ−ＧＷは、マルチキャストアドレス保存、データディストリビューション及びクラスターサービスセッション制御コマンドの処理を担当するように設置され、
前記Ｐ−ＧＷは、クラスタースケジューリング管理センターが送信したクラスターサービス負荷作成要求を受信し、及び、前記ＭＭＥが処理したユーザ装置（User Equipment、ＵＥ）が送信したクラスターサービス要求情報を前記クラスタースケジューリング管理センターに転送するように設置され、及び
前記ＨＳＳは、端末が属する基地局情報及び端末が属するグループの標識を保存するように設置される。
【００２１】
本発明の実施例はブロードバンド無線アクセスサブシステムを更に提供しており、マルチセル又はマルチキャスト協働エンティティ（Multicast Cooperation Entity、ＭＣＥ）及び複数基地局を備え、そのうち、
前記基地局は、クラスターサービスセッションに無線負荷を作成し、設定した無線負荷情報を該基地局サービスの端末に通知するように設置され、及び
前記ＭＣＥは、マルチキャスト放送単一周波数ネットワークＭＢＳＦＮ領域下で、前記基地局に対してＭＢＳＦＮ送信を行うクラスターサービスセッションの無線リソースの割当を担当するように設置される。
【００２２】
前記ＭＣＥは、移動管理エンティティＭＭＥからのクラスターサービスセッションスタート要求を受信し、サービス品質に基づいて無線リソースのスケジューリング制御情報を生成し、且つ前記基地局に前記スケジューリング制御情報を送信するようにさらに設置されてもよい。
【００２３】
前記基地局は、
前記ＭＭＥが送信したクラスター伝送優先順位コンテキストの修正要求を受信し、前記ＭＭＥとともに伝送優先順位端末の負荷コンテキストをリリースし、該基地局がサービスする伝送優先順位端末に対して無線リソース制御（Radio Resource Control、ＲＲＣ）接続リリースを行い、及び前記ＭＭＥにクラスター伝送優先順位コンテキストの修正要求レスポンスを返す、又は
前記ＭＭＥが送信したクラスター専用伝送優先順位プリエンプト負荷作成要求を受信し、該基地局がサービスする伝送優先順位プリエンプト端末とＲＲＣ接続再設定の作成を行い、及び前記ＭＭＥにクラスター専用伝送優先順位プリエンプト負荷作成完成メッセージを返すようにさらに設置されてもよい。
【００２４】
本発明の実施例はロングタームエボリューションＬＴＥに基づくブロードバンドクラスターシステムを更に提供しており、順に接続される端末、ブロードバンド無線アクセスサブシステム、ネットワークサブシステム及びクラスタースケジューリング管理センター、及び前記ブロードバンド無線アクセスサブシステム及び前記ネットワークサブシステムにいずれも接続する操作メインテナンスサブシステムを備え、そのうち、
前記ブロードバンド無線アクセスサブシステムは、上記ブロードバンド無線アクセスサブシステムであり、
前記ネットワークサブシステムは、上記ネットワークサブシステムであり、
前記クラスタースケジューリング管理センターは、クラスターサービス伝送優先順位管理及びスケジューリング、クラスターシングルコール又はグループコールの権限管理、クラスターサービスのサービスタイプの割り当て及びクラスターサービスのサービス品質設定を完成することを担当するように設置され、及び
前記操作メインテナンスサブシステムは、クラスターユーザの口座開設、口座キャンセル及びユーザサービス権限の各種の操作を完成し、及び前記ブロードバンド無線アクセスサブシステム及び前記ネットワークサブシステムの設備に対してパラメータの設定及び性能と安全の管理を行うことを担当するように設置される。
【００２５】
該システムは、前記ネットワークサブシステムと前記クラスタースケジューリング管理センターとの間に位置するインタネットプロトコルマルチメディアサブシステム（Internet Protocol Multimedia Subsystem、ＩＭＳ）を更に含んでもよく、そのうち、
前記ＩＭＳはクラスター機能にプロトコル及びフローバックアップを提供するように設置される。
【発明の効果】
【００２６】
上記ＬＴＥに基づくブロードバンドクラスターシステムは、ｅＭＢＭＳ技術及びネットワークエレメントを結び付けて展開され、新しいネットワークエレメント設備を増加する必要がない場合、ｅＭＢＭＳ下りリンクのマルチキャスト技術を十分に利用することによりクラスターシステムのポイントツーマルチポイントの特性を満たすことができ、さらに一部のサブネットワークエレメントの機能を修正又は拡張するだけでＬＴＥに基づくブロードバンドデジタルクラスターシステムを展開することができ、後にパブリックネットワークと所定の融合を行うこともでき、同時にその基礎でＬＴＥブロードバンドクラスターサービスに基づく伝送優先順位プリエンプトフローを実現することができる。
【図面の簡単な説明】
【００２７】
【図１】図１は、本発明の実施例のＬＴＥに基づくブロードバンドデジタルクラスターシステムのアーキテクチャ模式図である。
【図２】図２は、本発明の実施例のＬＴＥに基づくブロードバンドデジタルクラスターシステムの伝送優先順位プリエンプトの実現方法のフローチャート（一）である。
【図３】図３は、本発明の実施例のＬＴＥに基づくブロードバンドデジタルクラスターシステムの伝送優先順位プリエンプトの実現方法のフローチャート（二）である。
【図４】図４は、本発明の実施例のＬＴＥに基づくブロードバンドデジタルクラスターシステムの伝送優先順位プリエンプト過程の全体シグナリングフローチャートである。
【図５】図５は、本発明の実施例のＬＴＥに基づくブロードバンドデジタルクラスターシステムの伝送優先順位プリエンプトのシグナリングフローチャートである。
【図６】図６は、本発明の実施例のＭＭＥのアーキテクチャ模式図である。
【発明を実施するための形態】
【００２８】
以下、図面を参照しながら本発明の実施例を詳細に説明する。ただし、矛盾がない場合、本願における実施例及び実施例における特徴は互いに任意に組み合せることができる。
【００２９】
図１に示すように、図１は本発明の実施例のＬＴＥに基づくブロードバンドデジタルクラスターシステムのアーキテクチャ模式図であり、該システムは、端末１０１、ブロードバンド無線アクセスサブシステム１０２、ネットワークサブシステム１０３、ＩＭＳ１０４、クラスタースケジューリング管理センター１０５及び操作メインテナンスサブシステム１０６を備え、クラスタースケジューリング管理センター１０５はＩＭＳ１０４と同じ機能を完成することができる場合は、ＩＭＳ１０４を展開しなくてもよい。
【００３０】
そのうち、上記端末１０１は、共通グループに位置する伝送優先順位端末及び伝送優先順位プリエンプト端末を備え、上記端末は手持ち端末、車載台、固定台又は無線スケジューリング台であってもよい。
【００３１】
上記ブロードバンド無線アクセスサブシステム１０２は、複数の進化型基地局（ｅＮｏｄｅＢ）及びマルチセル又はＭＣＥを備え、ｅＮｏｄｅＢは、クラスターサービスセッションに無線負荷を作成し、且つ設定無線負荷情報を端末１０１に通知する。ＭＣＥは、ＭＢＳＦＮ領域下でｅＮｏｄｅＢに対してＭＢＳＦＮ送信のクラスターサービスセッションの無線リソースの割当を行うことを担当し、時間領域リソース割当及びコーディング変調方式の選択を含み、ＭＣＥは、ＭＭＥが送信したクラスターサービスセッション制御シグナリングの伝送を更に担当する。
【００３２】
ＭＣＥは  Ｍ３インターフェースからのクラスターサービスセッションスタート要求を受信し、サービス品質（Quality of Service、Ｑｏｓ）に基づいて無線リソースのスケジューリング制御情報を生成し、且つＭ２インターフェースによりｅＮｏｄｅＢに送信する。ＭＣＥ及びｅＮｏｄｅＢは、Ｍ２インターフェースにより接続される。
【００３３】
前記手持ち移動台、車載台、固定台及び無線スケジューリング台は、ＬＴＥ−Ｕｕインターフェースによりブロードバンド無線アクセスサブシステム１０２と無線リソースを共有する。
上記ネットワークサブシステム１０３は  ＭＭＥ、ＳＧＷ、ＨＳＳ、ＢＭ−ＳＣ、ＭＢＭＳ−ＧＷ及びＰ−ＧＷを含む。
【００３４】
そのうち、Ｐ−ＧＷは、それぞれ異なるクラスターサービス放送特性ゲートウェイと接続してバックアップし、Ｐ−ＧＷは、クラスター要求サービス要求の放送特性に基づいて、それぞれＳＧＷ又はＢＭ−ＳＣに要求してクラスターサービスの無線アクセス負荷を作成させる。ＢＭ−ＳＣは、クラスターサービスデータマルチキャストの根源として、クラスターサービスのアグリゲーション及び送信、クラスターサービスの権限、負荷作成の開始及びセッション制御を提供する。ＭＢＭＳ−ＧＷは、マルチキャストアドレスの保存、データディストリビューション及びクラスターサービスセッション制御コマンドの処理を担当する。ＭＭＥは、クラスターサービスセッション制御ノードであり、作成されたグループコール情報をキャッシュし、各種クラスターサービスの作成、メインテナンス及びリリースを担当する。ＭＭＥは  ＳＧＷ又はＭＢＭＳ−ＧＷからのクラスターサービスのサービス要求を受信し、クラスターサービスのサービス品質及び伝送負荷情報を設定し、且つＳ１インターフェース又はＭ３インターフェースによりクラスターサービス無線アクセス負荷の作成を制御し、同時に、ＭＭＥも受信したＵＥのクラスターサービス要求をＰＤＮ−ＧＷに転送する。ＨＳＳは、端末ユーザのホーム加入情報を記憶し、クラスター機能をバックアップするために、クラスターサービスをバックアップするモジュールを追加し、該モジュールはＵＥが属するｅＮｏｄｅＢ情報及び該ＵＥが属するグループ識別子（例えば、一時移動グループ識別子（Temporary Mobile Group Identity、ＴＭＧＩ））を記憶し、すなわち、｛グループ識別子、グループサービスディストリビューション領域情報、端末リスト情報｝を記憶することができる。ＳＧＷは、ブロードバンド無線アクセスサブシステム１０２に接続するメディアデータインターフェースの終点であり、主にデータパケットのルータ及び転送を担当する。
【００３５】
ＭＭＥは、Ｓ１１インターフェースによりＳＧＷに接続し、ＭＭＥは、Ｓ６ａインターフェースによりＨＳＳに接続し、ＭＭＥはＳｍインターフェースによりＢＭ−ＳＣに接続し、ＳＧＷは、Ｓ５インターフェースによりＰ−ＧＷに接続し、ＢＭ−ＳＣは、ＳＧｉインターフェースによりＰ−ＧＷに接続し、ＢＭ−ＳＣは、ＳＧｍｂ及びＳＧｉｍｂインターフェースによりＭＢＭＳ−ＧＷに接続する。ｅＮｏｄｅＢは、Ｍ１インターフェースによりＭＢＭＳ−ＧＷに接続し、ＭＣＥは、Ｍ３インターフェースによりＭＭＥに接続する。
【００３６】
上記クラスタースケジューリング管理センター１０５は、ＰＤＮ−ＧＷに接続し、クラスターサービス伝送優先順位管理及びスケジューリング、クラスターシングルコール／グループコールの権限管理、クラスターサービスのサービスタイプ割り当て及びクラスターサービスのサービス品質設定を完成することを担当し、この他、ユーザ端末及び無線スケジューリング台の認可に対して、それはＰ−ＧＷの入り口である。クラスターアプリケーションサーバは無線プッシュトゥトーク（Push-to-Talk over Cellular、ＰｏＣ）に基づくアプリケーションサーバ、グローバルオープントランキングアーキテクチャ（Global Open Trunking Architecture、ＧＯＴＡ）に基づくクラスターアプリケーションサーバ及び他のタイプのクラスターアプリケーションサーバを含む。他のタイプのクラスターアプリケーションサーバは後続拡張を行ってセッション制御機能を完成することができると、ＩＭＳ１０４を展開する必要がなく、セッション初期化プロトコル（Session Initial Protocol、ＳＩＰ）シグナリングを必要とせず、プライベートシグナリングを使用することができる。
【００３７】
クラスタースケジューリング管理センター１０５は、ＰＤＮ−ＧＷにクラスターサービス負荷作成要求を通知し、同時にＰＤＮ−ＧＷは、ＭＭＥが処理したＵＥが送信したクラスターサービス要求情報をクラスタースケジューリング管理センター１０５に転送する。
【００３８】
さらに、上記操作メインテナンスサブシステム１０６は、主にユーザデータに対する管理機能を完成し、クラスターユーザの口座開設、口座キャンセル及びユーザサービス権限の修正等の操作を行うことができ、同時にブロードバンド無線アクセスサブシステム１０２及びネットワークサブシステム１０３の設備のパラメータ設定、性能及び安全を管理することができる。
【００３９】
図１に示すブロードバンドクラスターシステムに基づいて、本発明の実施例は伝送優先順位プリエンプトの実現方法を提供しており、該方法はブロードバンド無線アクセスサブシステムの角度から記述し、図２に示すように、下記のステップを含む。
【００４０】
ステップ２０１：ブロードバンド無線アクセスサブシステムは、前記ネットワークサブシステムにクラスター伝送優先順位更新請求を送信し、前記ネットワークサブシステムが返したクラスター伝送優先順位更新受け入れメッセージを受信し、且つ伝送優先順位プリエンプト端末に前記クラスター伝送優先順位更新受け入れメッセージを送信する。
【００４１】
そのうち、前記クラスター伝送優先順位更新受け入れメッセージは、前記ネットワークサブシステムが前記クラスター伝送優先順位更新請求及び前記クラスタースケジューリング管理センターに基づいてクラスター伝送優先順位の情報更新を行った後に前記クラスタースケジューリング管理センターが返したものである。
【００４２】
該ステップ２０１の前、前記ブロードバンド無線アクセスサブシステムは、前記伝送優先順位プリエンプト端末、前記ネットワークサブシステム及び前記クラスタースケジューリング管理センターとインタラクションすることにより、デフォルト負荷の作成を完成すること、及び、前記ネットワークサブシステムがクラスター専用負荷の作成を完成するように、前記ブロードバンド無線アクセスサブシステムは、前記伝送優先順位プリエンプト端末が送信したクラスター専用伝送優先順位要求を、前記ネットワークサブシステムにトランスペアレントすることを更に含んでもよい。
【００４３】
ステップ２０２：ブロードバンド無線アクセスサブシステム、前記ネットワークサブシステム及び前記伝送優先順位端末は、インタラクションしてクラスター伝送優先順位コンテキストの修正を完成する。
【００４４】
ステップ２０３：ブロードバンド無線アクセスサブシステムは、前記ネットワークサブシステムが送信した伝送優先順位占用のプロンプトメッセージを受信し、且つｅＭＢＭＳのマルチキャスト制御チャネルにより前記伝送優先順位端末及び前記伝送優先順位プリエンプト端末にクラスター伝送優先順位占用のプロンプトメッセージ及び更新設定情報を送信する。
【００４５】
同様に、図１に示すブロードバンドクラスターシステムに基づいて、本発明の実施例は伝送優先順位プリエンプトの実現方法を更に提供しており、該方法はネットワークサブシステムの角度から記述し、図３に示すように、下記のステップを含む。
【００４６】
ステップ３０１：ネットワークサブシステムは、伝送優先順位プリエンプト端末、前記ブロードバンド無線アクセスサブシステム及び前記クラスタースケジューリング管理センターとインタラクションすることにより、前記ブロードバンド無線アクセスサブシステムと前記伝送優先順位プリエンプト端末との間のデフォルト負荷の作成を完成する。
【００４７】
該ステップ３０１では、前記ネットワークサブシステムは、前記伝送優先順位プリエンプト端末が前記ブロードバンド無線アクセスサブシステムにより送信したクラスター伝送優先順位申込要求を受信し、且つ前記クラスタースケジューリング管理センターに該クラスター伝送優先順位申込要求を送信すること、及び、前記ネットワークサブシステムは、前記クラスタースケジューリング管理センターが送信したクラスターコンテキスト作成要求を受信し、且つ前記ブロードバンド無線アクセスサブシステム及び前記伝送優先順位プリエンプト端末とインタラクションしてデフォルト負荷の作成を完成することを含み、そのうち、該クラスターコンテキスト作成要求は、前記クラスタースケジューリング管理センターが該クラスター伝送優先順位申込要求を受信した後、前記伝送優先順位プリエンプト端末を認証、認可及び策略判定した後に送信したものである。
【００４８】
ステップ３０２：前記ネットワークサブシステムは、前記伝送優先順位プリ・BR>Gンプト端末が前記ブロードバンド無線アクセスサブシステムによりトランスペアレントしたクラスター専用伝送優先順位要求を受信し、且つ前記ブロードバンド無線アクセスサブシステム及び前記伝送優先順位プリエンプト端末とインタラクションしてクラスター専用負荷の作成を完成する。
【００４９】
上記ステップ３０１及びステップ３０２は、任意選択のステップである。
【００５０】
ステップ３０３：前記ネットワークサブシステム及び前記クラスタースケジューリング管理センターは、クラスター伝送優先順位の情報更新を行い、且つ前記ブロードバンド無線アクセスサブシステムにより前記伝送優先順位プリエンプト端末に前記クラスター伝送優先順位更新受け入れメッセージを送信する。
【００５１】
該ステップ３０３は、前記ネットワークサブシステムは、前記クラスタースケジューリング管理センターが送信したクラスター伝送優先順位更新受け入れメッセージを受信し、前記ブロードバンド無線アクセスサブシステムにより前記伝送優先順位プリエンプト端末に前記クラスター伝送優先順位更新受け入れメッセージを送信することを含む。
【００５２】
ステップ３０４：前記ネットワークサブシステム、前記ブロードバンド無線アクセスサブシステム及び前記伝送優先順位端末は、インタラクションしてクラスター伝送優先順位コンテキストの修正を完成する。
【００５３】
該ステップ３０４は、前記ネットワークサブシステムは、前記ブロードバンド無線アクセスサブシステムにクラスター伝送優先順位コンテキストの修正要求を送信すること、前記ネットワークサブシステム、前記ブロードバンド無線アクセスサブシステム及び前記伝送優先順位端末は、インタラクションして伝送優先順位端末の負荷及びエアインタフェースリソースのリリースを完成すること、及び、前記ネットワークサブシステムは、前記ブロードバンド無線アクセスサブシステムが送信したクラスター伝送優先順位コンテキスト修正完成メッセージを受信することを含んでもよい。
【００５４】
ステップ３０５：前記ブロードバンド無線アクセスサブシステムはｅＭＢＭＳのマルチキャスト制御チャネルにより、前記伝送優先順位プリエンプト端末及び前記伝送優先順位端末にクラスター伝送優先順位占用のプロンプトメッセージ及び更新設定情報を送信するように、ネットワークサブシステムは、ブロードバンド無線アクセスサブシステムに伝送優先順位占用のプロンプトメッセージを送信する。
【００５５】
以下、端末及びネットワークサブシステム、ブロードバンド無線アクセスサブシステム及びクラスタースケジューリング管理センターのインタラクションの角度から、本発明の実施例の技術的解決手段を詳細に記述する。
【００５６】
図４に示すように、ＬＴＥブロードバンドクラスターシステムに基づく伝送優先順位プリエンプト過程は下記ステップを含む。
【００５７】
ステップ４０１：端末ユーザはプッシュトゥトーク（Push to Talk、ＰＴＴ）キーを押し、ブロードバンド無線アクセスサブシステムとインタラクションしてエアインタフェースリソースの作成を完成する。
【００５８】
ステップ４０２：端末は、クラスター伝送優先順位申込要求を送信し、該要求メッセージは、ネットワークサブシステムによりクラスタースケジューリング管理センターに送信されて伝送優先順位の申込を行う。
【００５９】
ステップ４０３：クラスタースケジューリング管理センターは伝送優先順位申込を受信した後、端末を認証及び認可し、且つ所定の策略規則に基づいて現在のプリエンプト伝送優先順位端末及び占用している伝送優先順位端末の優先度を判定し、該プリエンプト端末の要求を受け入れるかどうかを判断する。
【００６０】
ステップ４０４：クラスタースケジューリング管理センターは認証及び認可の結果及び策略判定に基づいて、受け入れると、ネットワークサブシステムにクラスターコンテキスト作成要求を送信し、受け入れないと、ネットワークサブシステムにより端末にクラスターコンテキスト作成拒否を送信する。
【００６１】
ステップ４０５：ネットワークサブシステムは、クラスターコンテキスト作成要求を受信した後、ブロードバンド無線アクセスサブシステム、端末とインタラクションしてデフォルト負荷の作成を完成する。
【００６２】
ステップ４０６：端末及びクラスタースケジューリング管理センターはＳＩＰメッセージ、又は私有プロトコルメッセージにより後にデータ伝達を必要とする設定等の情報を協議する。
【００６３】
ステップ４０７：端末は、ブロードバンド無線アクセスサブシステムによりクラスター専用伝送優先順位要求をネットワークサブシステムにトランスペアレントする。
【００６４】
ステップ４０８：ネットワークサブシステムは、クラスター専用伝送優先順位要求を受信した後、ブロードバンド無線アクセスサブシステム、端末とインタラクションしてクラスター専用負荷の作成を完成する。
【００６５】
ステップ４０９：ネットワークサブシステム及びクラスタースケジューリング管理センターは、クラスター伝送優先順位の情報更新を行う。
【００６６】
ステップ４１０：クラスタースケジューリング管理センターは、ネットワークサブシステムにクラスター伝送優先順位更新受け入れメッセージを送信し、ネットワークサブシステムは、ブロードバンド無線アクセスサブシステムにクラスター伝送優先順位更新受け入れメッセージを転送し、ブロードバンド無線アクセスサブシステムは、端末にクラスター伝送優先順位要求受け入れメッセージを送信する。
【００６７】
ステップ４１１：ネットワークサブシステムは、クラスタースケジューリング管理センターのクラスター伝送優先順位更新受け入れメッセージを受信した後、ブロードバンド無線アクセスサブシステムにクラスター伝送優先順位コンテキストの修正要求を送信し、伝送優先順位を占用している端末リソースのリリースを要求する。
【００６８】
ステップ４１２：ネットワークサブシステム、ブロードバンド無線アクセスサブシステム及び端末は、インタラクションしてグループが伝送優先順位端末を占用している負荷及びエアインタフェースリソースのリリースを完成する。
【００６９】
ステップ４１３：ブロードバンド無線アクセスサブシステムは、ネットワークサブシステムにクラスター伝送優先順位コンテキスト修正完成メッセージを返す。
【００７０】
ステップ４１４：ネットワークサブシステムは、ブロードバンド無線アクセスサブシステムに伝送優先順位占用のプロンプトメッセージを送信する。
【００７１】
ステップ４１５：ブロードバンド無線アクセスサブシステムは、ｅＭＢＭＳのマルチキャスト制御チャネルによりクラスターグループの端末にクラスター伝送優先順位占用のプロンプトメッセージ及び更新設定情報を送信する。
【００７２】
本発明の実施例の理解の便宜のため、以下、応用実施を例として本発明の実施例の実現を詳細に説明する。
【００７３】
図５を参照しながら、クラスター端末ＡはｅＮｏｄｅＢ１下にあり、クラスター端末ＢはｅＮｏｄｅＢ２下にあり、クラスター端末Ａ及び端末組Ｂは同一のＭＢＳＦＮ領域及びクラスターグループに属し、クラスター端末Ｂは従来、伝送優先順位を占用し、ＬＴＥブロードバンドクラスターシステムに基づく伝送優先順位プリエンプト過程は下記のステップを含む。
【００７４】
ステップ５０１：端末Ａはアイドル状態にあり、端末Ｂは伝送優先順位占用中にあり、端末Ａはクラスター伝送優先順位をプリエンプトすると、ユーザがＰＴＴキーを押す時、端末ＡはｅＮｏｄｅＢ１とランダムアクセス及びＲＲＣ接続作成のインタラクションを行う。
【００７５】
ステップ５０２：端末Ａは、ＭＭＥによりクラスタースケジューリング管理センターにクラスター伝送優先順位要求を送信し、該伝送優先順位申込メッセージは非アクセス層（Non Access Stratum、ＮＡＳ）によりメッセージカプセルし、クラスターセッション識別子を含む。
【００７６】
ステップ５０３：クラスタースケジューリング管理センターは、端末Ａのクラスター伝送優先順位要求を受信した後、端末Ａに対して認証及びクラスターユーザグループ内の情報確認を行い、端末Ａ及び端末Ｂの伝送優先順位優先度に基づいて策略の伝送優先順位付与を行い、ここでクラスタースケジューリング管理センターは付与して通過させる。
【００７７】
ステップ５０４：クラスタースケジューリング管理センターは、ＭＭＥにクラスターコンテキスト作成要求を送信する。
【００７８】
ステップ５０５：ＭＭＥは、ｅＮｏｄｅＢ１、クラスター端末Ａとデフォルト負荷の作成を完成する。
【００７９】
ステップ５０６：端末Ａ及びクラスタースケジューリング管理センターは、ＳＩＰメッセージにより後続にデータ伝達を必要とするＱｏＳ、ＩＰアドレス及びポート番号等の情報を協議する。
【００８０】
ステップ５０７：クラスター端末Ａは、ｅＮｏｄｅ１によりクラスター専用伝送優先順位プリエンプト要求メッセージをＭＭＥにトランスペアレントする。
【００８１】
ステップ５０８：ＭＭＥは、ＳＧＷ、Ｐ−ＧＷとインタラクションしてユーザの負荷作成を行う。
【００８２】
ステップ５０９：ＭＭＥは、ｅＮｏｄｅＢ１にクラスター専用伝送優先順位プリエンプト負荷作成要求を送信する。
【００８３】
ステップ５１０：ｅＮｏｄｅＢ１は、専用伝送優先順位プリエンプト負荷作成要求を受信した後、ＲＲＣ接続再設定の作成を行い、該再設定は、主に上りリンクの共有チャネルを設定し、下りリンクは、マルチキャスト下りリンクチャネルを使用する。
【００８４】
ステップ５１１：ｅＮｏｄｅＢ１の設定が完成後、ＭＭＥにクラスター専用伝送優先順位プリエンプト負荷作成完成メッセージを返す。
【００８５】
ステップ５１２：ＭＭＥは、ＳＧＷにクラスター伝送優先順位更新請求を送信し、ＳＧＷは、ＭＭＥにクラスター伝送優先順位更新レスポンスメッセージを返す。
【００８６】
ステップ５１３：ＭＭＥは、ＭＢＭＳ−ＧＷによりクラスタースケジューリング管理センターにクラスター伝送優先順位更新請求を送信し、クラスタースケジューリング管理センターは、ＭＭＥにクラスター伝送優先順位更新受け入れ要求を返し、クラスター端末Ａの伝送優先順位申込を受け入れることを表す。
【００８７】
ステップ５１４：ＭＭＥは、ｅＮｏｄｅＢ１によりクラスター端末Ａにクラスター伝送優先順位要求受け入れメッセージを送信し、クラスター端末Ａは今回伝送優先順位を取ったと考える。
【００８８】
ステップ５１５：ＭＭＥは、ｅＮｏｄｅＢ２にクラスター伝送優先順位コンテキストの修正要求を送信して端末Ｂの負荷コンテキストをリリースする。
【００８９】
ステップ５１６：ＭＭＥ及びｅＮｏｄｅＢ２は、端末Ｂの負荷コンテキストをリリースする。
【００９０】
ステップ５１７：ｅＮｏｄｅＢ２は、端末Ｂに対してＲＲＣ接続リリースを行う。
【００９１】
ステップ５１８：ｅＮｏｄｅＢ２のリリースが完成後、ＭＭＥにクラスター伝送優先順位コンテキスト修正レスポンスメッセージを返す。
【００９２】
ステップ５１９：ＭＭＥは、それぞれｅＮｏｄｅＢ１及びｅＮｏｄｅＢ２にクラスター伝送優先順位占用プロンプトを送信する。
【００９３】
ステップ５２０：ｅＮｏｄｅＢ１及びｅＮｏｄｅＢ２は、ＭＢＳＦＮ領域の制御チャネルにより該クラスターグループ中の端末グループＢ及び他の端末伝送優先順位が占用されたことを通知し、且つ設定情報を更新する。
【００９４】
上記クラスターシステムアーキテクチャは、ｅＭＢＭＳ技術及びネットワークエレメントを結び付けて展開され、新しいネットワークエレメント設備を増加する必要がない場合、ｅＭＢＭＳ下りリンクのマルチキャスト技術を十分に利用することによりクラスターシステムのポイントツーマルチポイントの特性を満たすことができ、さらに一部のサブネットワークエレメントの機能を修正又は拡張するだけで、ＬＴＥに基づくブロードバンドデジタルクラスターシステムを展開することができ、後にパブリックネットワークと所定の融合を行うこともでき、同時にその基礎で伝送優先順位プリエンプトフローを実現することができる。
【００９５】
上記方法に対応して、本発明の実施例は、ＬＴＥに基づくブロードバンドクラスターシステム中に応用されるＭＭＥを更に提供しており、図６に示すように、該ＭＭＥは、
伝送優先順位プリエンプト端末、該伝送優先順位プリエンプト端末の所属の第１基地局及びクラスタースケジューリング管理センターとインタラクションすることにより、前記第１基地局と前記伝送優先順位プリエンプト端末との間のデフォルト負荷の作成を完成するための第１作成モジュール６１、
前記第１基地局、該ＭＭＥとともに共通ネットワークサブシステムに位置するＳＧＷ及びＰ−ＧＷとインタラクションすることにより、クラスター専用伝送優先順位プリエンプト負荷の作成を完成するための第２作成モジュール６２、
ＭＢＭＳ−ＧＷ、前記ＳＧＷ及び前記クラスタースケジューリング管理センターとインタラクションすることにより、クラスター伝送優先順位の更新を完成し、且つ前記第１基地局により前記伝送優先順位プリエンプト端末にクラスター伝送優先順位要求受け入れメッセージを送信するための更新モジュール６３、
伝送優先順位端末及び該伝送優先順位端末の所属の第２基地局とインタラクションすることにより、クラスター伝送優先順位コンテキスト修正を完成するための修正モジュール６４、及び
前記第１基地局及び前記第２基地局はＭＢＳＦＮ領域の制御チャネルによりクラスター領域内のすべての端末伝送優先順位占用及び更新設定情報を通知するように、前記第１基地局及び前記第２基地局にクラスター伝送優先順位占用プロンプトを送信するための占用モジュール６５を備える。
【００９６】
そのうち、前記第１作成モジュール６１は、
伝送優先順位プリエンプト端末が前記第１基地局により送信したクラスター伝送優先順位申込要求を受信し、且つ前記クラスタースケジューリング管理センターに該クラスター伝送優先順位申込要求を送信し、そのうち、前記クラスター伝送優先順位申込要求中には、クラスターセッション識別子を含み、及び、前記クラスタースケジューリング管理センターが送信したクラスターコンテキスト作成要求を受信し、且つ前記第１基地局及び前記伝送優先順位プリエンプト端末とインタラクションしてデフォルト負荷の作成を完成し、そのうち、該クラスターコンテキスト作成要求は前記クラスタースケジューリング管理センターが該クラスター伝送優先順位申込要求を受信した後、前記伝送優先順位プリエンプト端末を認証、認可及び策略判定した後、送信したものであるという方式で、伝送優先順位プリエンプト端末、前記伝送優先順位プリエンプト端末の所属第１基地局及びクラスタースケジューリング管理センターとインタラクションすることにより、前記第１基地局と前記伝送優先順位プリエンプト端末との間のデフォルト負荷の作成を完成することに用いられる。
【００９７】
前記第２作成モジュール６２は、
前記伝送優先順位プリエンプト端末が前記第１基地局によりトランスペアレントしたクラスター専用伝送優先順位プリエンプト要求メッセージを受信し、前記ＳＧＷ及び前記Ｐ−ＧＷとインタラクションして伝送優先順位ユーザの負荷作成を行い、前記第１基地局にクラスター専用伝送優先順位プリエンプト負荷作成要求を送信し、及び、前記第１基地局が前記クラスター専用伝送優先順位プリエンプト負荷作成要求に基づいて設定を完成した後送信したクラスター専用伝送優先順位プリエンプト負荷作成完成メッセージを受信するという方式で、前記第１基地局、前記ＭＭＥとともに共通ネットワークサブシステムに位置するＳＧＷ及びＰ−ＧＷとインタラクションすることにより、クラスター専用伝送優先順位プリエンプト負荷の作成を完成することに用いられる。
【００９８】
前記更新モジュール６３は、
前記ＳＧＷにクラスター伝送優先順位更新請求を送信し、及び前記ＳＧＷが返したクラスター伝送優先順位更新レスポンスメッセージを受信し、前記ＭＢＭＳ−ＧＷにより前記クラスタースケジューリング管理センターにクラスター伝送優先順位更新請求を送信し、前記クラスタースケジューリング管理センターが返したクラスター伝送優先順位更新受け入れ要求を受信し、及び、前記第１基地局により前記伝送優先順位プリエンプト端末にクラスター伝送優先順位要求受け入れメッセージを送信するという方式で、ＭＢＭＳ−ＧＷが、前記ＳＧＷ及び前記クラスタースケジューリング管理センターとインタラクションすることにより、クラスター伝送優先順位の更新を完成し、且つ前記第１基地局により前記伝送優先順位プリエンプト端末にクラスター伝送優先順位要求受け入れメッセージを送信することに用いられる。
【００９９】
前記修正モジュール６４は、
前記第２基地局にクラスター伝送優先順位コンテキストの修正要求を送信し、前記第２基地局とともに該伝送優先順位端末の負荷コンテキストをリリースし、及び、前記第２基地局が該伝送優先順位端末の接続をリリースし終わった後に返したクラスター伝送優先順位コンテキスト修正レスポンスメッセージを受信するという方式で、式伝送優先順位端末及び前記伝送優先順位端末の所属の第２基地局とインタラクションすることにより、クラスター伝送優先順位コンテキストの修正を完成することに用いられる。
【０１００】
該ＭＭＥのワークフローは図５を参照する。
本発明の実施例はネットワークサブシステムを更に提供しており、図６に示すＭＭＥ、該ＭＭＥに接続するＳＧＷ、ＢＭ−ＳＣ及びＨＳＳ、前記ＢＭ−ＳＣに接続するＭＢＭＳ−ＧＷ、及び前記ＢＭ−ＳＣ及び前記ＳＧＷにいずれも接続するＰ−ＧＷを備え、そのうち、
該ＭＢＭＳ−ＧＷは、マルチキャストアドレスの保存、データディストリビューション及びクラスターサービスセッション制御コマンドの処理を担当することに用いられ、
該Ｐ−ＧＷは、クラスタースケジューリング管理センターが送信したクラスターサービス負荷作成要求を受信し、及び、前記ＭＭＥが処理したＵＥのが送信したクラスターサービス要求情報を前記クラスタースケジューリング管理センターに転送することに用いられ、及び
該ＨＳＳは、端末が属する基地局情報及び端末が属するグループの標識を保存することに用いられる。
【０１０１】
さらに、本発明の実施例はブロードバンド無線アクセスサブシステムを更に提供しており、マルチセル又はＭＣＥ及び複数の基地局を備え、そのうち、
前記基地局は、クラスターサービスセッションに無線負荷を作成し、且つ設定した無線負荷情報を該基地局がサービスする端末に通知することに用いられ、
前記ＭＣＥは、ＭＢＳＦＮ領域下で、前記基地局に対してＭＢＳＦＮ送信を行うクラスターサービスセッションの無線リソースの割当を担当することことに用いられる。
【０１０２】
そのうち、前記ＭＣＥは、ＭＭＥからのクラスターサービスセッションスタート要求を受信し、サービス品質に基づいて無線リソースのスケジューリング制御情報を生成し、且つ前記基地局に前記スケジューリング制御情報を送信することに更に用いられる。
【０１０３】
前記基地局は、前記ＭＭＥが送信したクラスター伝送優先順位コンテキストの修正要求を受信し、前記ＭＭＥとともに伝送優先順位端末の負荷コンテキストをリリースし、該基地局がサービスする伝送優先順位端末に対してＲＲＣ接続リリースを行い、及び前記ＭＭＥにクラスター伝送優先順位コンテキストの修正要求レスポンスを返す、又は、前記ＭＭＥが送信したクラスター専用伝送優先順位プリエンプト負荷作成要求を受信し、該基地局がサービスする伝送優先順位プリエンプト端末とＲＲＣ接続再設定の作成を行い、及び前記ＭＭＥにクラスター専用伝送優先順位プリエンプト負荷作成完成メッセージを返すことに更に用いられる。
【０１０４】
上記ネットワークサブシステムとブロードバンド無線アクセスサブシステムとの間の接続関係は図１を参照し、両システム及びクラスタースケジューリング管理センターは互いに協力してブロードバンドデジタルクラスターシステムを実現することができ、且つ伝送優先順位プリエンプト機能を実現することができる。
【０１０５】
一般の当業者は、上記方法における全部又は一部のステップをプログラムによって関連ハードウェアに命令を出して完成させることができ、前記プログラムはコンピュータ読み取り可能な記憶媒体、例えば読取り専用メモリ、ディスク又は光ディスク等に記憶してもよいと理解することができる。選択肢として、上記実施例の全部又は一部のステップが１つ又は複数のＩＣにより実現されてもよい。それに対応して、上記実施例における各モジュール／ユニットはハードウェアの形式で実現されてもよく、ソフトウェア機能モジュールの形式で実現されてもよい。本発明の実施例はあらゆる特定形式のハードウェアとソフトウェアの組合せに限らない。
【０１０６】
以上の実施例は本発明の技術的解決手段を説明するためのものに過ぎず、制限するものではなく、好適な実施例のみを参照しながら本発明を詳細に説明した。一般の当業者は、本発明の技術的解決手段の趣旨及び範囲を逸脱することがなく、本発明の実施例の技術的解決手段を修正又は同等置換することができ、いずれも本発明の請求の範囲に含まれると理解することができる。
【産業上の利用可能性】
【０１０７】
本発明の実施例中において、新しいネットワークエレメント設備を増加する必要がない場合、ＬＴＥに基づくブロードバンドクラスターシステム及びＬＴＥブロードバンドクラスターシステムに基づく伝送優先順位プリエンプト過程を実現することができる。
【図１】
2015537453.tif 000003
【図２】
2015537453.tif 000004
【図３】
2015537453.tif 000005
【図４】
2015537453.tif 000006
【図５】
2015537453.tif 000007
【図６】
2015537453.tif 000008
【国際調査報告】
2015537453.tif 000009
2015537453.tif 000010
2015537453.tif 000011
2015537453.tif 000012
2015537453.tif 000013
2015537453.tif 000014